(57)【特許請求の範囲】
【請求項１】
両端が開放した筒状のグローブに光源ユニットを収め、前記グローブの両端部の各々を底部と環状部とを備える有底環状の閉塞部材に挿入して閉じた照明装置において、
前記グローブの端部と前記閉塞部材の間に防水パッキンを備え、
前記防水パッキンは、前記グローブの開放端面と前記閉塞部材の前記底部との間に挟まれて押圧変形してシールする第１シール部と、前記グローブ端部の筒状の外側面と前記閉塞部材の前記環状部との間に挟まれてシールする第２シール部とを一体に備え、
前記第２シール部と、この第２シール部を挟む前記閉塞部材の面とのそれぞれに、前記グローブの外側面に対して外側に開くテーパ面を設け、前記第２シール部のテーパ面の開き角度を前記閉塞部材のテーパ面の開き角度より大きくしたことを特徴とする照明装置。
【請求項２】
前記第２シール部を、前記閉塞部材の外まで延出させて視認可能にしたことを特徴とする請求項１に記載の照明装置。
【請求項３】
前記閉塞部材には、前記光源ユニットが外側から密着させられてねじ止めされており、このねじ止め箇所を囲む溝が設けられており、この溝にはＯリングが嵌めこまれて、外側から板で押さえつけられているとともに、前記溝には外部に連通する連通部が設けられていることを特徴とする請求項１または２に記載の照明装置。
【請求項４】
前記光源ユニットは、ＬＥＤを光源とするＬＥＤユニットであり、前記ＬＥＤユニットは、ＬＥＤ基板に前記ＬＥＤを実装したＬＥＤモジュールと、前記ＬＥＤモジュールが取り付けられ、前記ＬＥＤの熱を前記閉塞部材に熱伝導させる支持体と、前記ＬＥＤの電源モジュールと、を備え、
前記電源モジュールから支持体への伝熱を妨げる程度に熱抵抗が大きな取付具によって前記電源モジュールが前記支持体に取り付けられていることを特徴とする請求項３に記載の照明装置。
【請求項５】
前記電源モジュールは、高熱伝導性材料から形成された基板ホルダーと、前記基板ホルダーに熱的に接続されて保持された電源基板と、を備え、前記基板ホルダーの一部が前記支持体に接触して支持されていることを特徴とする請求項４に記載の照明装置。
【発明の詳細な説明】
【技術分野】
【０００１】
本発明は、防水性能を有する照明装置に関する。
【背景技術】
【０００２】
従来、両端が開放した筒状のグローブに、例えばＬＥＤ（Light Emitting Diode）などの光を放射する光源を含む光源ユニットを収め、グローブの両端部を閉塞部材で閉塞した照明装置が知られている（例えば、特許文献１参照）。
【先行技術文献】
【特許文献】
【０００３】
【特許文献１】特開２０１０−１９８８２８号公報
【発明の概要】
【発明が解決しようとする課題】
【０００４】
ところで、近年、共同溝、横断地下道、カルバート、ダム監査路、トンネル避難抗等でも照明装置の省エネルギー化、及び、長寿命化を実現すべく、照明装置のＬＥＤ化が検討されている。しかしながら、共同溝、横断地下道、カルバート、ダム監査路、トンネル避難抗等は雨天時等に冠水する場合があり、この冠水時には、照明装置が浸水して故障する可能性が懸念されている。
本発明は、上述した従来の技術が有する課題を解消し、防水性能を向上した照明装置を提供することを目的とする。
【課題を解決するための手段】
【０００５】
上記目的を達成するために、本発明は、両端が開放した筒状のグローブに光源ユニットを収め、前記グローブの両端部の各々を底部と環状部とを備える有底環状の閉塞部材に挿入して閉じた照明装置において、前記グローブの端部と前記閉塞部材の間に防水パッキンを備え、前記防水パッキンは、前記グローブの開放端面と前記閉塞部材の前記底部との間に挟まれて押圧変形してシールする第１シール部と、前記グローブ端部の筒状の外側面と前記閉塞部材の前記環状部との間に挟まれてシールする第２シール部とを一体に備え、前記第２シール部と、この第２シール部を挟む前記閉塞部材の面とのそれぞれに、前記グローブの外側面に対して外側に開くテーパ面を設け、前記第２シール部のテーパ面の開き角度を前記閉塞部材のテーパ面の開き角度より大きくしたことを特徴とする。
【０００６】
また本発明は、上記照明装置において、前記第２シール部を、前記閉塞部材の外まで延出させて視認可能にしたことを特徴とする。
【０００８】
また本発明は、上記照明装置において、前記閉塞部材には、前記光源ユニットが外側から密着させられてねじ止めされており、このねじ止め箇所を囲む溝が設けられており、この溝にはＯリングが嵌めこまれて、外側から板で押さえつけられているとともに、前記溝には外部に連通する連通部が設けられていることを特徴とする。
【０００９】
また本発明は、上記照明装置において、前記光源ユニットは、ＬＥＤを光源とするＬＥＤユニットであり、前記ＬＥＤユニットは、ＬＥＤ基板に前記ＬＥＤを実装したＬＥＤモジュールと、前記ＬＥＤモジュールが取り付けられ、前記ＬＥＤの熱を前記閉塞部材に熱伝導させる支持体と、前記ＬＥＤの電源モジュールと、を備え、前記電源モジュールから支持体への伝熱を妨げる程度に熱抵抗が大きな取付具によって前記電源モジュールが前記支持体に取り付けられていることを特徴とする。
【００１０】
また本発明は、上記照明装置において、前記電源モジュールは、高熱伝導性材料から形成された基板ホルダーと、前記基板ホルダーに熱的に接続されて保持された電源基板と、を備え、前記基板ホルダーの一部が前記支持体に接触して支持されていることを特徴とする。
【発明の効果】
【００１１】
本発明によれば、両端が開放した筒状のグローブに光源ユニットを収め、前記グローブの両端縁の各々を閉塞部材に挿入して閉じた照明装置において、前記グローブの端縁と前記閉塞部材の間に防水パッキンを備え、前記防水パッキンは、前記グローブの端縁によって押圧変形して前記閉塞部材との間をシールする第１シール部と、この端部の外側面と前記閉塞部材との間に挟まれてシールする第２シール部とを一体に備えるため、グローブの端縁及び外側面と閉塞部材の間をシールすることができ、外側面で防水を図るとともに、外側面から浸水した場合でも端縁で防水することができるため、グローブと閉塞部材の間のシール性を向上して、グローブと閉塞部材の間から照明装置内に水が浸入するのを防止し、照明装置の防水性能を向上することができる。
【図面の簡単な説明】
【００１２】
【図１】本発明の第１実施形態に係る照明装置の構成を示す斜視図である。
【図２】照明装置の（Ａ）断面図、及び、（Ｂ）防水パッキン周辺の部分拡大図である。
【図３】照明装置の分解斜視図である。
【図４】閉塞部材の（Ａ）外側から視た斜視図、及び、（Ｂ）内側から視た斜視図である。
【図５】防水パッキンの平面図、正面図、及び、断面図である。
【図６】閉塞部材と防水パッキンの関係を示す部分断面図である。
【図７】本発明の第２実施形態に係る照明装置の構成を示す斜視図である。
【図８】照明装置の平面図である。
【図９】照明装置の分解斜視図である。
【図１０】ＬＥＤユニットの斜視図である。
【図１１】ＬＥＤユニットの分解斜視図である。
【発明を実施するための形態】
【００１３】
以下、本発明の実施の形態を、図面を参照しながら説明する。
＜第１実施形態＞
図１は、本発明を適用した実施形態に係る照明装置１の斜視図であり、図２（Ａ）は、照明装置１の断面図である。照明装置１は、共同溝、横断地下道、カルバート、ダム監査路、トンネル避難抗等で照明装置として用いられる。
図１、及び、図２（Ａ）に示すように、照明装置１は、筒状のグローブ１１を備え、このグローブ１１に光源ユニット２０を収めて構成されている。光源ユニット２０は、エネルギーを受けて光を放射する光源を含むユニットであり、この光源としては、電球、蛍光灯、アーク灯、ＨＩＤランプ、発光ダイオード等を用いることができる。本実施形態では、光源ユニット２０は、省エネルギー、及び、長寿命であるＬＥＤを光源として用いるＬＥＤユニットである場合を例に説明する。
グローブ１１は、透過性のある材料、例えば樹脂材を用いて、断面略円形状に形成されている。グローブ１１は、両端部１２が開放しており、両端部１２の両端縁１３の各々は、閉塞部材３０に挿入されて閉じられる。閉塞部材３０は、例えば、アルミニウム合金を用いて、ダイキャストによって形成することができる。グローブ１１の端縁１３と閉塞部材３０の間には防水パッキン５０が備えられる。
【００１４】
防水パッキン５０は、グローブ１１の両端部１２の端縁１３によって押圧変形して閉塞部材３０との間に挟まれてシールする第１シール部５１と、端部１２の外側面１４と閉塞部材３０との間に挟まれてシールする第２シール部５２とを一体に備える。照明装置１は、このように、グローブ１１の両端部１２を端縁１３、及び、外側面１４と閉塞部材３０との間が防水パッキン５０でシールされる。これにより、グローブ１１の開放した両端部１２からグローブ１１の内部に水が浸入するのを防止することができる。この構成によれば、照明装置１が取り付けられる共同溝、横断地下道、カルバート、ダム監査路、トンネル避難抗等が雨天時に冠水した場合であっても、照明装置１の内部に水が浸入するのを防止することができ、照明装置１が浸水によって故障するのを防止することができる。
【００１５】
防水パッキン５０は、第２シール部５２が図２（Ｂ）に示すように閉塞部材３０の外まで延出するように形成される。第２シール部５２が、閉塞部材３０から延出する長さβは、照明装置１の外から、グローブ１１の端部１２と閉塞部材３０との間に備えられた防水パッキン５０が視認可能な程度に設定されている。この構成によれば、防水パッキン５０を外から視認可能としたため、防水パッキン５０を照明装置１を組み付けた状態で外から目視で確認することができ、グローブ１１と閉塞部材３０との間に防水パッキン５０を挟み忘れるのを防止することができる。また、第２シール部５２が閉塞部材３０の外まで延出するため、第２シール部５２の端面５２Ａの上に水がたまるのを防止することができる。
【００１６】
閉塞部材３０は、底部４０Ａ、及び、環状部４０Ｂを備える有底環状に形成される（図４参照）。ＬＥＤユニット２０は、グローブ１１の外側から、閉塞部材３０の底部４０Ａに固定面２９を密着させて、閉塞部材３０の外側からグローブ１１の同軸方向に差し込んだねじ５でねじ止めされている。閉塞部材３０の環状部４０Ｂの外周の所定位置には、台座部３１が一体に設けられる。この台座部３１には、照明装置１を設置面に取り付けるための取付脚３８が固定される。台座部３１には、取付脚３８をねじ２でねじ止めするための１つのねじ孔３２と、取付脚３８を係止する係止部３３とが設けられる。係止部３３は、ねじ孔３２の両サイドに設けられ、照明装置１の外側に向かって鉤爪状に延びている。取付脚３８は、係止部３３によって係止されると共に、ねじ孔３２に通されるねじ２で台座部３１に固定される。この構成によれば、ねじ２で取付脚３８を台座部３１にねじ止めする際に、取付脚３８は、係止部３３によって係止されるため、取付脚３８がねじ止めする際の力で回転するのを防止することができる。
【００１７】
取付脚３８は、係止部３３によって係止されるとともに、ねじ２で台座部３１にねじ止めされる固定部３８Ａと、この固定部３８Ａの両端側に延出する取付部３８Ｂとを備える角バンドである。取付部３８Ｂには、取付孔３９が設けられる。照明装置１は、この取付孔３９を天井等の設置面から延びる不図示のアンカーボルトに固定して任意の場所に取り付けられる。この構成によれば、取付脚３８がアンカーボルトに固定されている状態で、係止部３３が取付脚３８から脱落することは無い為、例えばねじ２の腐食等によってねじ２が脱落してしまった場合でも、照明装置１は、係止部３３によって係止され、照明装置１が落下するのを防止することができる。これにより、取付脚３８を一箇所だけねじ２で台座部３１にねじ止めし、コストの削減を図ることができ、ねじ２が脱落してしまった場合でも照明装置１が落下するのを防止することができる。
【００１８】
閉塞部材３０には、外側から板材１７Ａ，１７Ｂがねじ３でねじ止めされる。板材１７Ａ，１７Ｂには、外周の一部を切り欠いて切欠き１８が形成される。閉塞部材３０には、切欠き１８と対応する位置に凸部３７が形成されている。板材１７Ａ，１７Ｂは、閉塞部材３０に対して、この切欠き１８を凸部３７に合わせることで位置決めされる。板材１７Ａには、ＬＥＤユニット２０に電源を供給する配線が接続されるプラグ１９が取り付けられる。照明装置１には、一方側から配線が接続されるが、閉塞部材３０を共通部品化したため、配線が接続されない他方側に取り付けられる閉塞部材３０にも同様に配線孔４３が設けられる。板材１７Ｂは、円形平板状に形成され、配線孔４３、及び、ＬＥＤユニット２０をねじ止めするねじ５が通るねじ孔４１を外側から塞ぐように構成されている。
【００１９】
図３は、照明装置１の展開図である。図３に示すように、ＬＥＤユニット２０は、ＬＥＤモジュール２５と、電源モジュール２１と、ＬＥＤモジュール２５、及び、電源モジュール２１を一体に支持する支持体２４と、を備える。ＬＥＤモジュール２５は、ＬＥＤ基板２６と、このＬＥＤ基板２６に並べて複数実装されるＬＥＤ２７と、を備える。照明装置１には、複数のＬＥＤモジュール２５を取り付けることができ、取り付けるＬＥＤモジュールの数は、照明装置１に求められる明るさに応じて任意に変更可能に構成されている。本実施形態では、照明装置１は、各ＬＥＤ基板２６に８個のＬＥＤ２７を並べて実装すると共に、断面略Ｖ字状に形成された支持体２４の底面２４Ａに、４つのＬＥＤモジュール２５を取り付けて構成されている。各ＬＥＤモジュール２５は、ＬＥＤ基板２６を支持体２４に底面２４Ａ側からねじ７でねじ止めして取り付けられる。
【００２０】
電源モジュール２１は、コンデンサやトランジスタ等が実装された電源基板２３と、電源基板２３を保持する基板ホルダー２２と、電源基板２３を覆うカバー２２Ｂと、を備える。基板ホルダー２２には、基板ホルダー２２を支持体２４にねじ止めするねじ孔２２Ａが設けられる。
支持体２４は、例えばアルミニウム等の高熱伝導性材料をプレス等で任意の形状に折り曲げて形成される。支持体２４は、底面２４Ａに取り付けられたＬＥＤ基板２６に実装されるＬＥＤ２７の発熱を吸収するヒートシンクとしての役割を備え、ＬＥＤ２７の熱を吸収して閉塞部材３０に熱伝導させる。支持体２４は、上面２４Ｂが開口した上面開口中空部材である。支持体２４の中空部２４Ｃには、支持体２４の長さ方向の２箇所に取付具２８が架け渡されて設けられる。中空部２４Ｃには、この取付具２８に取り付けられる電源モジュール２１が、支持体２４と接触しないように収められる。取付具２８は、電源モジュール２１から支持体２４への伝熱を妨げる程度に熱抵抗が大きな材料、例えばステンレス等、で形成される。
【００２１】
これらの構成によれば、高熱伝導性材料で形成された支持体２４をヒートシンクとして用いてＬＥＤモジュール２５の熱を支持体２４で吸収することができる。また、支持体２４の固定面２９をアルミダイキャスト製の閉塞部材３０の底部４０Ａに密着させて固定したため、支持体２４で吸収したＬＥＤモジュール２５の熱を高熱伝導性材料であるアルミニウム合金などから形成される閉塞部材３０に熱伝導して、閉塞部材３０を介して効率よく照明装置１の外に放熱させることができる。また、電源モジュール２１を支持体２４への伝熱を妨げる程度に熱抵抗が大きい取付具２８で支持体２４に取り付けて、中空部２４Ｃに収めたため、電源モジュール２１とＬＥＤモジュール２５の相互の伝熱を妨げることができる。
【００２２】
閉塞部材３０の底部４０Ａには、ＬＥＤユニット２０への配線を通す配線孔４３が、円盤状の底部４０Ａの略中央に設けられている。底部４０Ａには、この配線孔４３の外側に対角線上の対称位置に４箇所のねじ孔４１が設けられる。ＬＥＤユニット２０は、閉塞部材３０に、このねじ孔４１に外側から通されるねじ５で、支持体２４の固定面２９を密着させてねじ止めされる。
【００２３】
閉塞部材３０は、グローブ１１の端部１２の各々を閉じる閉塞部材３０を共通部材化することにより、アルミダイキャストの金型の製造コストを削減することができる。閉塞部材３０の外側からは、一方の端部１２側に板材１７Ａが、他方の端部１２側に板材１７Ｂが取り付けられる。板材１７Ａには、プラグ１９が接続されると共に、このプラグ１９に接続された配線が通る貫通孔４８が設けられる。一方、板材１７Ｂは閉塞部材３０の外側から、閉塞部材３０の配線孔４３を塞ぐように構成されている。
【００２４】
図４は、閉塞部材３０を示す図であり、図４（Ａ）は、照明装置１の外側を向く前面３０Ａを示す図であり、図４（Ｂ）は、照明装置１の内側を向く背面３０Ｂを示す図である。閉塞部材３０は、図４に示すように、断面略コ字状の環状部４０Ｂと、この環状部４０Ｂの内周に設けられた略円盤状の底部４０Ａとから構成される。
閉塞部材３０の前面３０Ａには、図４（Ａ）に示すように、環状部４０Ｂに、底部４０Ａのねじ止め箇所であるねじ孔４１を囲む溝３５が設けられる。また、前面３０Ａには、溝３５を閉塞部材３０の外周方向に外部に連通させる連通部３６が設けられる。連通部３６は、本実施例では、閉塞部材３０に取付脚３８をねじ止めするねじ孔３２から外周に沿って略１８０度ずらした位置に設けられる。また、環状部４０Ｂの外周には、外周縁の一部を凸状に突出させた凸部３７が設けられる。凸部３７は、本実施例では、ねじ孔３２、及び、連通部３６からそれぞれ略９０度ずらした位置に２箇所に設けられる。
【００２５】
閉塞部材３０の、上述した溝３５には、図３に示すように、Ｏリング４５が嵌め込まれ、このＯリング４５は、閉塞部材３０の外側から板材１７Ａ，１７Ｂで押さえつけられる。閉塞部材３０には、溝３５の周囲を囲むねじ穴４６が設けられ、このねじ穴４６に外側から通されるねじ３で、板材１７Ａ，１７Ｂは、閉塞部材３０にねじ止めされる。ねじ穴４６は、閉塞部材３０を貫通することなく設けられる。つまり閉塞部材３０の環状部４０Ｂはねじ３が貫通することなく板材１７Ａ，１７Ｂをねじ止めできる程度に厚く形成されている。
閉塞部材３０には、上述のように、溝３５を外部に連通する連通部３６を備える。連通部３６は、図２に示すように、閉塞部材３０の外側から板材１７Ａ，１７Ｂをねじ止めした状態で、Ｏリング４５が嵌めこまれた溝３５を環状部４０Ｂの外周方向に外部に連通させる。
【００２６】
この構成によれば、連通部３６は、外部から溝３５に嵌めこまれたＯリング４５をのぞくためののぞき窓の役割を果たし、照明装置１を組み立てた後に、溝３５にＯリング４５を嵌め忘れていないかを確認することができる。Ｏリング４５は、連通部３６から溝３５をのぞく以外にも、例えば、連通部３６から不図示の検査治具を差し込んで、嵌め忘れを確認しても良い。
また、板材１７Ａ，１７Ｂと、閉塞部材３０との間の隙間に侵入した水は、Ｏリング４５によって、Ｏリング４５の内側に入り込むのが防止される。これにより、底部４０Ａに設けられた配線孔４３、或いは、ねじ孔４１からグローブ１１に水が浸入するのを防止することができる。さらに、本実施例では、連通部３６は、閉塞部材３０に取付脚３８をねじ止めするねじ孔３２から外周に沿って略１８０度ずらした位置に設けられるため、取付脚３８を天井面から延びるアンカーボルト（吊ボルト）に固定して照明装置１を取り付けた場合には、連通部３６は、溝３５を略垂直方向に下方に外部に連通させる。これにより、板材１７Ａ，１７Ｂと、閉塞部材３０との間の隙間に侵入し、Ｏリングの外周を沿って流れた水を効率よく、水の自重で連通部３６を介して排水することができる。
【００２７】
閉塞部材３０の背面３０Ｂには、図４（Ｂ）に示すように、底部４０Ａに、担持部４２が設けられる。担持部４２は、逆ハの字状に２箇所に設けられ、略Ｖ字状の支持体２４の底面２４Ａが当接した状態で、支持体２４を担持する。照明装置１の組み立て時には、グローブ１１にＬＥＤユニット２０を収めて、閉塞部材３０の担持部４２でＬＥＤユニット２０を所定の位置に担持し、両端部１２を塞ぐことができるため、閉塞部材３０にＬＥＤユニット２０を所定の位置に外側から容易にねじ止めすることができる。
【００２８】
また、環状部４０Ｂの背面３０Ｂ側には、底部４０Ａの外周に沿って、凹部３４が設けられる。この凹部３４には、図３に示すように、防水パッキン５０の第１シール部５１がグローブ１１の端縁１３によって閉塞部材３０に押し込まれる。これにより、この凹部３４内で第１シール部５１が押圧変形し、グローブ１１の端縁１３と、閉塞部材３０との間がシールされる。防水パッキン５０は、シリコンゴム等の耐熱・耐水性に優れた弾性部材から形成される。
【００２９】
防水パッキン５０は、図５に示すように、第１シール部５１と、第２シール部５２とが断面略Ｌ字状に一体に形成されている。第１シール部５１は、断面が略Ｏ形状に形成され、グローブ１１の端縁１３によって押圧変形して閉塞部材３０との間をシールするＯリング的な役割を果たす。第２シール部５２は、第１シール部５１の外周に沿って立設し、両側面に突起５３，５４を備えた蛇腹状に形成されている。第２シール部５２は、グローブ１１の外側面１４に対して開き角度αを有し、外側に開くテーパ面５５を備える。
【００３０】
閉塞部材３０は、図６に示すように、第２シール部をグローブ１１の外側面１４との間に挟む面に、開き角度γを有し、外側に開くテーパ面３０Ｃを備える。この開き角度γは、アルミダイキャスト製の閉塞部材３０を金型から抜き取るための抜き勾配である。第２シール部５２のテーパ面５５の開き角度αは、閉塞部材３０のテーパ面３０Ｃの開き角度γより大きく形成される。本実施例では、第２シール部５２のテーパ面５５の開き角度αは５度に設定されており、一方、閉塞部材３０のテーパ面３０Ｃの開き角度γは、２度に設定されている。防水パッキン５０は、例えば射出成形によって形成することができ、シール部５２のテーパ面５５は、防水パッキン５０を金型から抜き取るための抜き勾配として形成される構成であっても良い。
【００３１】
この構成によれば、第２シール部５２のテーパ面５５の開き角度αが、閉塞部材３０のテーパ面３０Ｃの開き角度γより大きく形成されるため、第２シール部５２は、閉塞部材３０に押し込まれた状態で、グローブ１１の外側面１４と閉塞部材３０との間に挟まれる。これにより、グローブ１１の外側面１４と閉塞部材３０との間のシール性を向上することができる。また、この構成によれば、防水パッキン５０のテーパ面５５の開き角度αと、閉塞部材３０のテーパ３０Ｃの開き角度γとは、各々の形成時の抜き勾配の角度を異なる角度にすることで容易に任意の開き角度に設定することができるため、簡単な構造でグローブ１１の外側面１４と閉塞部材３０との間のシール性を向上することができる。
【００３２】
このように、第２シール部５２の端面５２Ａを閉塞部材３０の外まで長さβ分だけ延出させて第２シール部５２の端面上に水が溜まるのを防止することができる。また、第２シール部５２のテーパ面５５の開き角度αを閉塞部材３０のテーパ面３０Ｃの開き角度γより大きくして、グローブ１１の外側面１４と閉塞部材３０との間のシール性を向上することができる。これにより、グローブ１１の両端部１２の防水は、主にグローブ１１の外側面１４で第２シール部５２によって図られる。さらに、第１シール部５１を断面Ｏ形状にし、第１シール部５１で押圧変形させて閉塞部材３０と端縁１３との間をシールした。これにより、万が一外側面１４から水が浸入した場合でも、この第１シール部５１で水分がグローブ１１内に侵入するのを防止することができる。つまり、グローブ１１の外側面１４、及び、端縁１３と閉塞部材３０との間を防水パッキン５０でシールするため、照明装置１が取り付けられた共同溝、横断地下道、カルバート、ダム監査路、或いは、トンネル避難抗等が冠水した場合であっても、グローブ１１に水が浸入するのを防止することができる。
【００３３】
以上説明したように、本発明を適用した実施形態によれば、両端部１２が開放した筒状のグローブ１１に光源ユニット２０を収め、グローブ１１の両端縁１３の各々を閉塞部材３０に挿入して閉じた照明装置１において、グローブ１１の端縁１３と閉塞部材３０の間に防水パッキン５０を備え、防水パッキン５０は、グローブ１１の端縁１３によって押圧変形して閉塞部材３０との間をシールする第１シール部５１と、グローブ１１の端部１２の外側面１４と閉塞部材３０との間に挟まれてシールする第２シール部５２とを一体に備えた。これにより、グローブ１１の端縁１３、及び、外側面１４と閉塞部材３０との間をシールすることができ、グローブ１１と閉塞部材３０の間からグローブ１１に水が浸入するのを防止することができるため、照明装置１の防水性能を向上することができる。なお、本発明を適用した実施形態の照明装置１は、防水仕様がＪＩＳ規格のＩＰＸ７の要件を満たす防浸形の照明装置である。
【００３４】
また、本発明を適用した実施形態によれば、第２シール部５２を、閉塞部材３０の外まで延出させて視認可能にしたため、防水パッキン５０を照明装置１を組み付けた状態でも、外から目視で確認することができ、グローブ１１と閉塞部材３０との間に防水パッキン５０を挟み忘れるのを防止することができる。また、第２シール部５２が閉塞部材３０の外まで延出するため、第２シール部５２の端面５２Ａ上に水がたまるのを防止することができる。
【００３５】
また、本発明を適用した実施形態によれば、第２シール部５２と、この第２シール部５２を挟む閉塞部材３０の面とのそれぞれに、グローブ１１の外側面１４に対して外側に開くテーパ面５５を設け、第２シール部５２のテーパ面５５の開き角度αを閉塞部材３０のテーパ面３０Ｃの開き角度γより大きくした。これにより、第２シール部５２は、閉塞部材３０にグローブ１１によって押し込まれた状態で、グローブ１１の外側面１４と閉塞部材３０との間に挟まれる。そのため、グローブ１１の外側面１４、及び、閉塞部材３０と、第２シール部５２との密着性を高めて、グローブ１１の外側面１４と閉塞部材３０と間のシール性を向上することができる。
【００３６】
また、本発明を適用した実施形態によれば、両端部１２が開放した筒状のグローブ１１にＬＥＤユニット２０を収め、グローブ１１の両端縁１３の各々を閉塞部材３０に挿入して閉じた照明装置１において、閉塞部材３０に、ＬＥＤユニット２０を外側から密着させてねじ止めした。これにより、ＬＥＤユニット２０から閉塞部材３０への伝熱効率を向上することができ、ＬＥＤユニット２０の発熱を閉塞部材３０を介して効率よく外に放熱することができる。
【００３７】
また、本発明を適用した実施形態によれば、閉塞部材３０に、光源ユニット２０を外側から密着させてねじ止めし、このねじ止め箇所を囲む溝３５を設け、この溝３５にＯリング４５を嵌めこんで、外側から板材１７Ａ，１７Ｂで押さえつけるとともに、溝３５を外部に連通する連通部３６を設けた。これにより、光源ユニット２０を外側から閉塞部材３０にねじ止めすることができ、組み立て作業性を向上することができると共に、ねじ止め箇所を囲む溝３５にＯリング４５を嵌めこむことで板材１７Ａ，１７Ｂと閉塞部材３０との間隙に入り込んだ水がねじ止め箇所を通じてグローブ１１内に侵入するのを防止することができる。また、溝３５を外部に連通する連通部３６を設けたため、照明装置１を組み立てた状態でも、溝３５にＯリング４５が嵌めこまれていることを連通部３６から確認することができ、Ｏリング４５の嵌め忘れを防止することができる。さらに、板材１７Ａ，１７Ｂと閉塞部材３０との間隙に入り込んだ水を連通部３６から外部に排水することができる。
【００３８】
また、本発明を適用した実施形態によれば、ＬＥＤユニット２０は、ＬＥＤ基板２６にＬＥＤ２７を実装したＬＥＤモジュール２５と、ＬＥＤモジュール２５が取り付けられ、ＬＥＤ２７の熱を閉塞部材３０に熱伝導させる支持体２４と、ＬＥＤ２７を点灯させるための電源モジュール２１と、を備え、電源モジュール２１から支持体２４への伝熱を妨げる程度に熱抵抗が大きな取付具２８で電源モジュール２１を支持体２４に取り付けた。これにより、ＬＥＤモジュール２５と、電源モジュール２１とを一体に支持体２４に取り付けて、ＬＥＤユニット２０を形成し、グローブ１１に収めることができるため、照明装置１の組み立て作業性を向上することができる。また、電源モジュール２１は、支持体２４に電源モジュール２１から支持体２４への伝熱を妨げる程度に熱抵抗が大きな取付具２８で取り付けられるため、ＬＥＤモジュール２５と、電源モジュール２１との間の伝熱を取付具２８で妨げることができ、ＬＥＤモジュール２５と、電源モジュール２１とを支持体２４に一体に取り付けても、相互の熱の影響を受けるのを防止することができるため、照明装置１の長寿命化を図ることができる。
【００３９】
＜第２実施形態＞
上述した第１実施形態は、ＬＥＤモジュール２５の発熱を支持体２４で吸収して閉塞部材３０に熱伝導し、閉塞部材３０を介して照明装置１の外に放熱させる構成であり、電源モジュール２１から支持体２４への伝熱を妨げ、電源モジュール２１と、ＬＥＤモジュール２５との相互の伝熱を妨げる構成とした。この第２実施形態では、電源モジュール１２１の発熱が大きい場合に、電源モジュール１２１の発熱を支持体２４に吸収させて、閉塞部材３０に熱伝導し、閉塞部材３０を介して照明装置１００の外に放熱させる構成について説明する。この第２実施形態では、支持体２４は、ＬＥＤモジュール２５、及び、電源モジュール１２１の発熱を吸収することができる十分な熱容量を有するものとする。なお、以下の説明において、上述した第１実施形態と同様の構成要素については、同一の符号を付し、その説明を省略する。
【００４０】
図７は、第２実施形態に係る照明装置１００の構成を示す斜視図、図８は平面図、図９は分解斜視図である。図７、及び、図８に示すように、照明装置１００のＬＥＤユニット１２０は、電源モジュール１２１が、支持体２４の一方の側面２４Ｄ側に寄せて配置される。詳述すると、支持体２４は、断面略Ｖ字状に形成された底面２４Ａの両縁部から延び、互いに略平行に形成された側面２４Ｄ，２４Ｅを有する。基板ホルダー２２は、底面と対向する２つの側壁１２３，１２４とを有する断面略コ字状に形成され、底面上に電源基板２３が載置されて備えられる。電源モジュール１２１は、基板ホルダー２２の一方の側壁１２３を、支持体２４の一方の側面２４Ｄに押し付けて当接させ、基板ホルダー２２の一方の側壁１２３全体を支持体２４の一方の側面２４Ｄに面接触させて配置される。
【００４１】
基板ホルダー２２は、少なくとも支持体２４と同等の熱伝導性を有する高熱伝導性材料から形成され、例えば、アルミニウム合金等の高熱伝導性材料をプレス等で任意の形状に折り曲げて形成される。また、電源モジュール１２１は、電源基板２３を保持する基板ホルダー２２の側壁１２３を、支持体２４の側面２４Ｄに押し付けて面接触させて、支持体２４に支持される、電源基板２３の発熱を支持体２４に伝熱させることができる。これにより、電源基板２３からの発熱を基板ホルダー２２から支持体２４に伝熱して、電源基板２３からの発熱が大きい場合でも電源基板２３が過熱するのを防止することができる。また、支持体２４に伝えられた熱は、閉塞部材３０を介して照明装置１００の外に放熱させることができるため、電源基板２３の発熱が照明装置１００内に籠るのを防止することができる。
【００４２】
また、この構成によれば、支持体２４の断面略Ｖ字状に形成された底面２４ＡにＬＥＤモジュール２５を取り付け、底面２４Ａの両縁部から延びる側壁１２３に電源モジュール１２１を面接触させたため、ＬＥＤモジュール２５と、電源モジュール１２１からの熱が支持体２４の異なる面を介して支持体２４に伝熱される。これにより、ＬＥＤモジュール２５と、電源モジュール１２１が相互の熱の影響を受けるのを防止することができる。
【００４３】
基板ホルダー２２は、図９、図１０、及び、図１１に示すように、取付具１２８によって支持体２４に固定される。取付具１２８は、支持体２４の中空部２４Ｃ内に比較的重量のある電源モジュール１２１を安定して保持するため、例えばステンレス等、強度が高い材料で形成される。また、取付具１２８を熱抵抗が大きいステンレス材から形成した場合には、基板ホルダー２２の一方の側壁１２３から支持体２４の一方の側面２４Ｄに伝熱された熱が取付具１２８を介して電源モジュール２１に戻されるのを防止することができる。
取付具１２８は、基板ホルダー２２の両端部に設けられたねじ孔２２Ａに挿入されるねじ６で基板ホルダー２２と一体に固定される。基板ホルダー２２の各端部に固定された取付具１２８は、それぞれ支持体２４の中空部２４Ｃの内側から挿入されるねじ１０８で支持体２４の一方の側面２４Ｄに固定される。
【００４４】
取付具１２８は、図１０に示すように、一端部１２７が略直角に折り曲げられ、支持体２４の一方の側面２４Ｄと略平行に立ち上げられた断面略Ｌ字形状に形成される。一端部１２７には、取付具１２８を支持体２４に固定するねじ１０８が挿入されるねじ孔１２７Ａが形成される。支持体２４の他方の側面２４Ｅには、取付具１２８の取り付け位置に対応させて設けられたスリット１３１が備えられる。取付具１２８は、一端部１２７が支持体２４の一方の側面２４Ｄに固定され、他端部１２９が支持体２４の他方の側面２４Ｅに形成されたスリット１３１に嵌挿されて、支持体２４の中空部２４Ｃに橋架される。
【００４５】
取付具１２８は、図１１に示すように、他端部１２９に首部１３０が設けられる。一方、支持体２４の他方の側面２４Ｅには、スリット１３１を上部空間に連通させる組立用切欠き部１３２が設けられる。取付具１２８の首部１３０は、支持体２４の組立用切欠き部１３２に差込み可能に構成される。電源モジュール１２１を支持体２４に固定する際には、まず、電源モジュール１２１に取付具１２８を一体に固定する。次に、取付具１２８の首部１３０を組立用切欠き部１３２に挿入することで、電源モジュール１２１を取付具１２８と一体に支持体２４の中空部２４Ｃ内に挿入する。続いて、取付具１２８を組立用切欠き部１３２を介してスリット１３１の位置まで挿入し、取付具１２８の一端部１２７を支持体２４の一方の側面２４Ｄに押し付けるように取付具１２８をスライドさせ、支持体２４のスリット１３１に、取付具１２８の他端部１２９を嵌挿する。これによって、基板ホルダー２２の一方の側壁１２３が、支持体２４の一方の側面２４Ｄに対して押し付けられ、この状態で、支持体２４と、取付具１２８とをねじ１０８で固定する。
【００４６】
これらの構成によれば、電源モジュール１２１を取付具１２８と一体に支持体２４の上方から中空部２４Ｃ内に挿入して簡単に取り付けることができる。また、取付具１２８の他端部１２９をスリット１３１に嵌挿させて支持して、取付具１２８を支持体２４にねじ１０８でねじ止めすることができ、電源モジュール１２１の支持体２４への取付作業性が向上する。また、取付具１２８を、支持体２４の一方の側面２４Ｄ側のみにねじ止めするだけで電源モジュール１２１を支持体２４に固定することができ、ねじ止め箇所を削減することができるため、組み立て作業性が向上する。
【００４７】
以上説明したように、本発明を適用した第２実施形態によれば、電源モジュール１２１は、高熱伝導性材料から形成された基板ホルダー２２と、基板ホルダー２２に熱的に接続されて保持された電源基板２３と、を備え、基板ホルダー２２の一部を支持体２４に接触させて支持したため、電源基板２３の発熱を、基板ホルダー２２から、支持体２４に伝熱させることができ、電源基板２３からの発熱が大きい場合でも電源基板２３が過熱するのを防止することができる。また、支持体２４に伝えられた熱は、閉塞部材３０を介して照明装置１００の外に放熱されるため、電源基板２３の発熱が照明装置１００内に籠るのを防止することができる。
【００４８】
以上、第１および第２実施形態に基づいて本発明を説明したが、本発明はこれに限定されるものではない。本実施形態では、取付脚３８をアンカーボルトに固定して照明装置１を取り付ける構成としたが、これに限らず、照明装置１は、例えば設置面の天井から延びるチェーン等を取付脚３８に接続して、チェーン吊によって取り付けられる構成であっても良い。また、本実施形態では、照明装置１は、グローブ１１の軸方向が略水平方向に設置される構成としたが、これに限らず、照明装置１は、例えば、グローブの軸方向を略垂直に立てた状態で壁面等に固定して用いられる構成であっても良い。また、本実施形態では、支持体２４は、底面２４Ａが略Ｖ字形状に折り曲げられて形成され、Ｖ字状の各面にＬＥＤ基板２６を取り付ける構成としたが、これに限らず、底面２４Ａは平らな面に形成されて、この平らな面にＬＥＤ基板２６を取り付ける構成であっても良い。
【符号の説明】
【００４９】
１、１００  照明装置
１１  グローブ
１２  端部（端）
１３  端縁
１４  外側面
１７Ａ、１７Ｂ  板材（板）
１９  プラグ
２０、１２０  光源ユニット（ＬＥＤユニット）
２１、１２１  電源モジュール
２２    基板ホルダー
２４  支持体
２４Ｄ  側面
２５  ＬＥＤモジュール
２６  ＬＥＤ基板
２７  ＬＥＤ
２８、１２８  取付具
３０  閉塞部材
３０Ｃ  テーパ面
３５  溝
３６  連通部
４５  Ｏリング
５０  防水パッキン
５１  第１シール部
５２  第２シール部
５５  テーパ面
１２３  側壁
α  開き角度
β  長さ（延出長さ）
γ  開き角度
【図１】
0006010904.tif 000002
【図２】
0006010904.tif 000003
【図３】
0006010904.tif 000004
【図４】
0006010904.tif 000005
【図５】
0006010904.tif 000006
【図６】
0006010904.tif 000007
【図７】
0006010904.tif 000008
【図８】
0006010904.tif 000009
【図９】
0006010904.tif 000010
【図１０】
0006010904.tif 000011
【図１１】
0006010904.tif 000012